(57)【要約】【課題】意図しない衝撃に対して包装箱を上下に分割されにくくし、包装箱の形状が保持されるようにする。【解決手段】包装箱１は、上下に互いに離隔して配置される底板２及び天板３と、底板２及び天板３の周縁部間に立設された周壁板４とを有する。周壁板４には、少なくとも二つの破断予定部５が周方向に直列状に並設されている。各破断予定部５は、周壁板４の周方向に沿って破線状に形成された多数の切れ目からなる。また、破断予定部５の間には、破断開始部６が設けられている。破断開始部６は、周壁板４の周方向に互いに離隔して配置されるとともに互いに向き合う括弧形状の一対のスリット７を有する。【選択図】図１
2019081568.tif 000002
【特許請求の範囲】
【請求項１】
上下に互いに離隔して配置される底板及び天板と、前記底板及び前記天板の周縁部間に立設された周壁板と、を有する包装箱であって、
前記周壁板には、前記周壁板の周方向に沿って破線状に形成された多数の切れ目からなる少なくとも二つの破断予定部が前記周方向に直列状に並設され、
前記破断予定部の間には、前記周方向に互いに離隔して配置されるとともに互いに向き合う括弧形状の一対のスリットを有する破断開始部が設けられている
ことを特徴とする、包装箱。
【請求項２】
前記破断開始部は、前記一対のスリットの上端部どうしを繋ぐ直線と下端部どうしを繋ぐ直線との少なくとも一方の中間部に沿って形成された補助スリットを有する
ことを特徴とする、請求項１に記載の包装箱。
【請求項３】
本包装箱は、段ボール製であって、
前記周壁板は、前記一対のスリットで挟まれる領域が厚み方向に潰されている
ことを特徴とする、請求項１又は２に記載の包装箱。
【請求項４】
前記破断開始部は、前記一対のスリットの各上部が前記破断予定部の端部と連続して設けられている
ことを特徴とする、請求項１〜３の何れか１項に記載の包装箱。
【請求項５】
前記破断予定部は、前記破断開始部から所定範囲内の前記切れ目が、前記破断開始部から離隔する方向に上り傾斜する線に沿って形成されている
ことを特徴とする、請求項１〜４の何れか１項に記載の包装箱。
【請求項６】
前記破断開始部は、前記周壁板のうちの互いに対向する二箇所に設けられている
ことを特徴とする、請求項１〜５の何れか１項に記載の包装箱。
【請求項７】
請求項１〜６の何れか１項に記載の包装箱に組立可能なシート材であって、
前記底板及び前記天板となる矩形状の第一パネル部と、
前記第一パネル部と第一方向に沿って交互に並設され、前記周壁部の一部となる矩形状の第二パネル部と、
前記第一パネル部から前記第一方向と直交する第二方向に突設され、前記周壁部の一部となる外フラップ部と、
前記第二パネル部から前記第二方向に突設され、前記外フラップ部の内側に重ねられて前記周壁部の一部となる内フラップ部と、を備え、
前記破断予定部は、前記第二パネル部と前記内フラップ部とにわたって設けられ、
前記破断開始部は、前記第二パネル部に設けられている
ことを特徴とする、シート材。
【発明の詳細な説明】
【技術分野】
【０００１】
本発明は、上下に分割されて下半部がトレーとして利用される包装箱及びこの包装箱に組立可能なシート材に関する。
【背景技術】
【０００２】
従来、ミシン目状の切れ目（カット線）で上下に分割可能に構成された包装箱が知られている（例えば特許文献１参照）。一般に、このような包装箱は、上半部と下半部との境目の全域にわたって前述した切れ目が加工されており、この切れ目に沿って裂かれることで上下に分割された後、下半部がトレーとして利用される。このため、包装箱内に収容された商品を売り場に陳列する作業が容易となる。
【先行技術文献】
【特許文献】
【０００３】
【特許文献１】実用新案登録第３１５６８３５号公報
【発明の概要】
【発明が解決しようとする課題】
【０００４】
しかしながら、前述したように上半部と下半部との境目の全域にわたって切れ目が設けられた包装箱は、作業者が意図的に切れ目を裂く場合だけでなく、意図しない衝撃が入力された場合にも切れ目が裂けることで上下に分割されやすい。このため、例えば輸送時のように、外部から衝撃が入力されうる場面において、包装箱が意に反して上下に分割される虞がある。
【０００５】
本件は、前述したような課題に鑑みて創案されたものであり、意図しない衝撃に対して包装箱を上下に分割されにくくして、包装箱の形状が保持されるようにすることを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
（１）ここで開示する包装箱は、上下に互いに離隔して配置される底板及び天板と、前記底板及び前記天板の周縁部間に立設された周壁板と、を有する包装箱であって、前記周壁板には、前記周壁板の周方向に沿って破線状に形成された多数の切れ目からなる少なくとも二つの破断予定部が前記周方向に直列状に並設され、前記破断予定部の間には、前記周方向に互いに離隔して配置されるとともに互いに向き合う括弧形状の一対のスリットを有する破断開始部が設けられていることを特徴としている。
【０００７】
（２）前記破断開始部は、前記一対のスリットの上端部どうしを繋ぐ直線と下端部どうしを繋ぐ直線との少なくとも一方の中間部に沿って形成された補助スリットを有することが好ましい。
（３）本包装箱は、段ボール製であることが好ましい。この場合、前記周壁板は、前記一対のスリットで挟まれる領域が厚み方向に潰されていることが好ましい。
【０００８】
（４）前記破断開始部は、前記一対のスリットの各上部が前記破断予定部の端部と連続して設けられていることが好ましい。
（５）前記破断予定部は、前記破断開始部から所定範囲内の前記切れ目が、前記破断開始部から離隔する方向に上り傾斜する線に沿って形成されていることが好ましい。
（６）前記破断開始部は、前記周壁板のうちの互いに対向する二箇所に設けられていることが好ましい。
【０００９】
（７）ここで開示するシート材は、前記包装箱に組立可能なシート材であって、前記底板及び前記天板となる矩形状の第一パネル部と、前記第一パネル部と第一方向に沿って交互に並設され、前記周壁部の一部となる矩形状の第二パネル部と、前記第一パネル部から前記第一方向と直交する第二方向に突設され、前記周壁部の一部となる外フラップ部と、前記第二パネル部から前記第二方向に突設され、前記外フラップ部の内側に重ねられて前記周壁部の一部となる内フラップ部と、を備え、前記破断予定部は、前記第二パネル部と前記内フラップ部とにわたって設けられ、前記破断開始部は、前記第二パネル部に設けられていることを特徴としている。
【発明の効果】
【００１０】
開示の包装箱及びシート材によれば、意図しない衝撃に対して包装箱を上下に分割されにくくし、包装箱の形状を保持することができる。
【図面の簡単な説明】
【００１１】
【図１】一実施形態に係る包装箱の斜視図である。
【図２】図１の包装箱の要部を拡大した図である。
【図３】図１の包装箱に組立可能なシート材の平面図である。
【図４】図１の包装箱を開ける手順を例示した模式図であって、（Ａ）は破断開始部が除去される前の状態を示し、（Ｂ）は破断開始部が除去された後の状態を示し、（Ｃ）は包装箱の上半部が取り去られた状態を示している。
【発明を実施するための形態】
【００１２】
以下、図面を参照して、実施形態としての包装箱及びシート材について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．包装箱］
図１に示すように、本実施形態に係る包装箱１は、外観形状が横長な六面体であって、内部に物品を収容可能とされている。以下、この包装箱１が水平な面に載置された状態であるものとして、上下方向を定める。また、本実施形態では、包装箱１が段ボール製である場合について説明する。
【００１４】
包装箱１は、互いに上下に離隔して配置された底板２及び天板３と、これらの底板２及び天板３の周縁部間に立設された周壁板４とを有する。底板２及び天板３は、互いに等しい矩形状であって、互いに平行に配置される。底板２は、包装箱１の底面をなす部位である。また、天板３は、包装箱１の天面をなす部位であって、底板２の上方に配置される。周壁板４は、上下方向に立設された四角筒状に形成される。周壁板４は、互いに対向する一対の第一壁部４Ａと、これらの第一壁部４Ａと直交する方向に立設されるとともに、互いに対向する一対の第二壁部４Ｂとを有する。
【００１５】
本実施形態では、包装箱１がラップアラウンド式のものである場合を例示する。すなわち、包装箱１において、底板２，天板３及び第一壁部４Ａのそれぞれは一枚の平板（後述するシート材１０のパネル部１１〜１３）で形成され、第二壁部４Ｂのそれぞれは複数枚の平板（後述するシート材１０のフラップ部１４，１５）が重ね合わされて形成される。
【００１６】
包装箱１は、周壁板４が周方向に沿って裂かれることで、上下に分割可能である。包装箱１は、上下に分割された状態では、下半部がトレーとして機能し、上半部が蓋として機能しうる。周壁板４には、このように包装箱１を上下に分割するための構成として、破断予定部５と破断開始部６とが設けられる。
【００１７】
破断予定部５は、包装箱１の上半部が上方へ引っ張られることで裂けるように形成された部位である。破断予定部５は、周壁板４の周方向に沿って破線状（ミシン目状）に形成された多数の切れ目からなる。なお、破断予定部５を構成する切れ目の間隔は、必要に応じて適宜変更可能である
【００１８】
破断予定部５は、周壁板４の周方向において破断開始部６と連続するように設けられる。本実施形態では、四つの破断予定部５が周壁板４の周方向に直列状に並んで設けられている場合を例示する。各破断予定部５は、第一壁部４Ａから第二壁部４Ｂ（具体的には、後述するシート材１０の第二パネル部１３から内フラップ部１５）にわたって延在する。
【００１９】
各破断予定部５のうちの第一壁部４Ａに設けられる部分は、波形の曲線に沿って形成される。また、図２に示すように、この波形の曲線に沿って形成される破断予定部５の切れ目のうち、破断開始部６から所定範囲Ｒ内の切れ目は、破断開始部６から離隔する方向に上り傾斜する線に沿って形成される。ここで、所定範囲Ｒは、少なくとも破断予定部５の切れ目を二つ以上配置可能な大きさとされる。
【００２０】
破断開始部６は、包装箱１の上半部を上方へ引っ張る力を入力するための部位である。本実施形態の破断開始部６は、各第一壁部４Ａの略中心部において、二つの破断予定部５の間に設けられている。すなわち、破断開始部６は、周壁板４のうちの互いに対向する二箇所に設けられる。
【００２１】
各破断開始部６は、周壁板４の周方向に互いに離隔して配置された一対のスリット７と、この一対のスリット７の間に設けられた補助スリット８とを有する。ただし、一対のスリット７の間には、補助スリット８以外の切れ目は設けられない。
【００２２】
一対のスリット７は、互いに向き合う括弧形状とされる。本実施形態では、亀甲括弧形状（すなわち〔  〕という形状）のスリット７を例示する。各スリット７は、上下方向に延びる縦線部７ａと、縦線部７ａの上下両端部から第一壁部４Ａの中心側（一対のスリット７の間）に向かって延びる内向き部７ｂとを有する。ここで、縦線部７ａが「上下方向に延びる」とは、縦線部７ａが上下方向の成分を含む線に沿って延びることを意味する。すなわち、縦線部７ａは、例えば、上下方向に対して傾斜した線状であってもよい。本実施形態では、スリット７が亀甲括弧形状であるため、縦線部７ａが上下方向と平行な直線状である。また、一方の内向き部７ｂが縦線部７ａの上端部から緩やかに上り傾斜する直線状であり、他方の内向き部７ｂが縦線部７ａの下端部から緩やかに下り傾斜する直線状である。
【００２３】
各スリット７は、その上部が破断予定部５の端部と連続して設けられる。スリット７の上部とは、具体的には、スリット７のうちの上下方向における中心よりも上側の部分（上半部）である。本実施形態では、各スリット７の縦線部７ａの上端部（すなわち、縦線部７ａと上側の内向き部７ｂとの接続部分７ｃ）が破断予定部５と連続して設けられている。なお、ここでいう「連続して設けられている」という表現には、破断予定部５の切れ目とスリット７とが繋がっていることだけでなく、破断予定部５の切れ目とスリット７とが、破断予定部５の切れ目の間隔程度の微小な隙間をあけて隣接することも含まれる。
【００２４】
補助スリット８は、破断開始部６をより適切に破断しやすくするためのものである。本実施形態では、周壁板４の周方向に沿って直線状に延びるとともに、上下方向に互いに離隔して配置された一対の補助スリット８を例示する。一方の補助スリット８は、一対のスリット７の各上端部７ｄ（本実施形態では上側の内向き部７ｂの内端部）どうしを結ぶ仮想的な直線Ｌ１の中間部に沿って形成される。また、他方の補助スリット８は、一対のスリット７の各下端部７ｅ（本実施形態では下側の内向き部７ｂの内端部）どうしを結ぶ仮想的な直線Ｌ２の中間部に沿って形成される。これらの補助スリット８は、各スリット７の上下端部７ｄ，７ｅから、前述した破断予定部５の切れ目の間隔よりも長い距離だけ離隔して配置される。このため、破断開始部６は、補助スリット８を有していても、破断予定部５と比べて周方向に裂けにくくなっている。
【００２５】
本実施形態の周壁板４は、一対のスリット７で挟まれる領域（図２中の斜線を付けた領域）が厚み方向に潰されている。すなわち、一対のスリット７で挟まれる領域は、段ボールの中芯が潰されることにより、相対的に強度が低くなるように形成されている。ここで、一対のスリット７で挟まれる領域とは、具体的には、一対のスリット７と前述した直線Ｌ１，Ｌ２とで囲まれる領域である。したがって、厚み方向に潰された領域の境界線の一部は、各補助スリット８と重なる。
【００２６】
［２．シート材］
図３は、前述した包装箱１に組立可能なシート材１０の平面図（包装箱１の展開図）である。シート材１０は、包装箱１の底板２及び天板３となる第一パネル部１１，１２と、包装箱１の第一壁部４Ａとなる第二パネル部１３と、包装箱１の第二壁部４Ｂとなるフラップ部１４，１５とを備えている。また、シート材１０は、包装箱１に組み立てられるときに、一方の第一パネル部１２と一方の第二パネル部１３とを繋ぐための継ぎ代として機能する接合フラップ部１６を備えている。なお、シート材１０における各部１１〜１６の境界線上には、シート材１０を包装箱１に組み立てるときに折り曲げられる罫線Ｌが加工されている。
【００２７】
二つの第一パネル部１１，１２と二つの第二パネル部１３とは、横方向（第一方向）Ｘに沿って交互に並設される。本実施形態では、底板２となる一方の第一パネル部１１が、二つの第二パネル部１３の間に配置される場合を例示する。また、二つの第二パネル部１３のうち、第一パネル部１１，１２の間に配置されない一方（図３では左側の第二パネル部１３）からは、横方向Ｘの外側（図３では左側）に向かって接合フラップ部１６が突設される。
【００２８】
接合フラップ１６は、シート材１０が包装箱１に組み立てられるときに、天板３となる第一パネル部１２の端部に接合される。図３に斜線を付けて示すように、本実施形態のシート材１０は、前述した破断開始部６の一対のスリット７で挟まれる領域に加えて、接合フラップ部１６と、第一パネル部１２のうちの接合フラップ部１６が接合される端部とも、厚み方向に潰されている。
【００２９】
フラップ部１４，１５は、第一パネル部１１，１２及び第二パネル部１３から縦方向（第二方向）Ｙの両側に突設される。ここでいう縦方向Ｙとは、横方向Ｘと直交する方向である。すなわち、横方向Ｘと縦方向Ｙとは、シート材１が延在する平面に沿って互いに直交する。
【００３０】
以下、第一パネル部１１，１２のそれぞれから縦方向Ｙに突設されたフラップ部１４を外フラップ部１４といい、第二パネル部１３のそれぞれから縦方向Ｙに突設されたフラップ部１５を内フラップ部１５という。外フラップ部１４は、包装箱１において第二壁部４Ｂの外表面をなす部位である。また、内フラップ部１５は、包装箱１において外フラップ部１４の内側に重なって配置される部位である。
【００３１】
前述した破断予定部５は、第二パネル部１３と、この第二パネル部１３から突設された内フラップ部１５とにわたって設けられる。本実施形態では、各第二パネル部１３において、二つの破断予定部５が縦方向Ｙに直列状に配設されている。また、前述した破断開始部６は、第二パネル部１３の縦方向Ｙの中間部に設けられる。
【００３２】
シート材１０は、底板２となる第一パネル部１１上に物品が載置された状態で、罫線Ｌに沿って折り曲げられ、接合フラップ部１６が他方の第一パネル１２の端部に接合されるとともに、外フラップ部１４が内フラップ部１５に接合される。これにより、シート材１０は、内部に物品を収容した包装箱１に組み立てられる。
【００３３】
［３．包装箱の開け方］
以下、図４を参照して、包装箱１を開ける手順について説明する。ここでは、包装箱１内に、多数の缶飲料が並べられた状態で収容されている場合を例示する。図４（Ａ）に示すように、作業者は、まず一対のスリット７に指を差し込み、破断開始部６を両側からちぎり取る（つまみ取る）ようにして、破断開始部６を破断させる。すなわち、ここでは一対のスリット７の上下端部７ｄ，７ｅから上下の補助スリット８までの間が破られる。これにより、図４（Ｂ）に示すように、破断開始部６が包装箱１から除去される。
【００３４】
次に、作業者は、包装箱１の二つの破断開始部６が除去されてできた孔に両手を入れ、破断開始部６の上縁部を掴んで包装箱１を引っ張り上げる。このとき作業者により破断開始部６の上縁部に入力された引張力は、破断予定部５へと伝達される。これにより、破断予定部５が破断開始部６に隣接する側から裂けていき、各破断予定部５の全域が裂けると、包装箱１が上下に分割される。
【００３５】
図４（Ｃ）に示すように、上下に分割された包装箱１は、その下半部１Ａがトレーとして利用可能である。このため、この下半部１Ａをそのまま（内部に多数の缶飲料が並べられた状態のまま）売り場に設置すれば、個々の缶飲料を包装箱１から取り出して陳列する場合と比べて、缶飲料の陳列作業が容易になる。
【００３６】
［４．効果］
（１）包装箱１によれば、破線状の切れ目からなる破断予定部５が周壁板４の周方向に直列状に並列され、これらの破断予定部５の間に一対のスリット７を有する破断開始部６が設けられる。このため、破断予定部５の切れ目が周壁板４の全周にわたって連続しない。すなわち、上下に分割される包装箱１の上半部と下半部との境目のうち、破断開始部６が設けられる部分には、破線状の切れ目が形成されない。したがって、例えば包装箱１の輸送時に、包装箱１に意図しない衝撃が入力されたとしても、破断開始部６により包装箱１の上半部と下半部とを繋ぎ止めておくことができる。よって、包装箱１を意図しない衝撃に対して上下に分割されにくくすることができ、包装箱１の形状を保持することができる。
【００３７】
一方、包装箱１を意図的に開ける（上下に分割する）場合は、前述したように一対のスリット７に指を差し込み、破断開始部６を両側からつまみ取るようにして破断させることで、破断開始部６を包装箱１から除去すればよい。この場合、一対のスリット７が互いに向き合う括弧形状であることから、作業者は破断開始部６を容易に取り去ることができる。
【００３８】
（２）また、図２に示すように、破断開始部６は、一対のスリット７の上端部７ｄどうしを繋ぐ直線Ｌ１と下端部７ｅどうしを繋ぐ直線Ｌ２とのそれぞれの中間部に沿って形成された補助スリット８を有するため、破断開始部６を破断させる作業を補助スリット８でガイドすることができる。これにより、作業者は、破断開始部６をより適切に且つより容易に破断させることができる。また、補助スリット８を設けることにより、破断開始部６が破れることで形成される破れ目の形状を、直線により近い形状とすることができる。このため、上下に分割された後の包装箱１の意匠性の低下を抑えることができる。
【００３９】
（３）周壁板４は、一対のスリット７で挟まれる領域が厚み方向に潰されることで、この領域の強度が相対的に低くされているため、破断開始部６をより適切に破れやすくすることができる。これにより、作業者は、破断開始部６をより適切に且つより容易に破断させることができる。また、潰される領域の輪郭線が直線Ｌ１，Ｌ２を含むため、破断開始部６が破れることで形成される破れ目の形状を、直線により近い形状とすることができる。よって、上下に分割された後の包装箱１の意匠性の低下を抑えることができる。
【００４０】
（４）一対のスリット７の各上部が破断予定部５の端部と連続して設けられるため、作業者が破断開始部６を除去した部分に手を入れて包装箱１を上方へ引っ張ったときに、破断開始部６の上縁部から破断予定部５へとより効率よく力を伝達させることができる。よって、作業者は、破断予定部５を更に適切に且つ更に容易に破断させることができ、包装箱１をより簡単に開けることができる。
【００４１】
（５）破断予定部５は、破断開始部６から所定範囲Ｒ内の切れ目が破断開始部６から離隔する方向に上り傾斜する線に沿って形成される。このため、作業者が破断開始部６を除去した部分に手を入れて包装箱１を上方へ引っ張った場合に、この引張力が破断予定部５に伝達されやすくなるとともに、所定範囲Ｒ内の切れ目の間においても力が伝達されやすくなる。よって、作業者は、破断予定部５を更に適切に且つ更に容易に破断させることができ、包装箱１をより簡単に開けることができる。
【００４２】
（６）破断開始部６が周壁板４のうちの互いに対向する二箇所に設けられるため、作業者はこれらの破断開始部６を除去してできた孔に両手を入れて、包装箱１を上方へ引っ張ることができる。これにより、作業者は、周壁板４を二箇所から周方向に裂くことができるため、包装箱１を更に簡単に開けることができる。
【００４３】
（７）シート材１０によれば、前述した包装箱１に組立可能であるため、前述したように包装箱１を意図しない衝撃に対して上下に分割されにくくすることができ、包装箱１の形状を保持することができる。また、破断予定部５が第二パネル部１３と内フラップ部１５とにわたって設けられ、破断開始部６が第二パネル部１３に設けられているため、包装箱１をラップアラウンド式により組み立てることができる。この場合、内フラップ部１５と外フラップ部１４とで周壁板４の一部が形成されるため、周壁板４を上下に分かれやすい構造とすることができる。よって、破断開始部６を多数設けなくても、包装箱１を上下に分割しやすくすることができる。
【００４４】
［５．変形例］
以下、本実施形態の変形例について述べる。
一対のスリット７の形状は、互いに向き合う括弧形状であればよく、前述した亀甲括弧形状に限定されない。一対のスリット７は、例えば、丸括弧形状（すなわち（  ）という形状）や角括弧形状（すなわち［  ］という形状）や鉤括弧形状（すなわち「  」という形状）であってもよい。言い換えると、各スリット７は、前述したように、上下方向の成分を含む線に沿って延びる縦線部７ａと、この縦線部７ａの上下端部７ｄ，７ｅの少なくとも一方から一対のスリット７の間に向かって延びる内向き部７ｂとを有していればよい。このようにスリット７を構成することで、破断開始部６をより除去しやすくすることができる。
【００４５】
また、一対の補助スリット８は、その片方又は両方が省略されてもよい。
周壁板４は、底板２及び天板３の周縁部間に立設される筒状のものであればよく、前述したような四角筒状のものに限定されない。すなわち、包装箱１は、その外観形状が六面体以外の立体形状であってもよい。また、包装箱１は、ラップアラウンド式のものに限定されず、例えば、いわゆるＡ式のものであってもよい。さらに、包装箱１は、前述した段ボールに代えて、例えば厚紙で形成されてもよい。
【符号の説明】
【００４６】
１  包装箱
２  底板
３  天板
４  周壁板
５  破断予定部
６  破断開始部
７  スリット
７ｄ  上端部
７ｅ  下端部
８  補助スリット
１０  シート材
１１，１２  第一パネル部
１３  第二パネル部
１４  内フラップ部
１５  外フラップ部
Ｌ１，Ｌ２  直線
Ｒ  所定範囲
Ｘ  横方向（第一方向）
Ｙ  縦方向（第二方向）
【図１】
2019081568.tif 000003
【図２】
2019081568.tif 000004
【図３】
2019081568.tif 000005
【図４】
2019081568.tif 000006